(57)【要約】本発明は、ディスク蓄積装置を有するビデオ再生装置に使用され、かつ、前記ディスク蓄積装置に蓄積された第一テレビ番組に関連する補足的データファイルを外部ネットワーク上の遠隔データサーバーから回収するための装置に関するものである。この装置は、１）前記第一テレビ番組と該第一テレビ番組に対応するリンクデータとを前記ディスク蓄積装置に記録することができる記録コントローラ、及び２）前記第一テレビ番組に対応する前記リンクデータを特定し、該リンクデータを使用して前記遠隔データサーバー上の前記補足的データファイルにアクセスし、該補足的データファイルを回収することができる更新コントローラを有している。
2004529579.tif 000002
【特許請求の範囲】
【請求項１】
ディスク蓄積装置を有するビデオ再生装置に使用され、かつ、前記ディスク蓄積装置に蓄積された第一テレビ番組に関連する補足的データファイルを外部ネットワーク上の遠隔データサーバーから回収するための装置であって：
前記第一テレビ番組と該第一テレビ番組に対応するリンクデータとを前記ディスク蓄積装置に記録することができる記録コントローラ；及び
前記第一テレビ番組に対応する前記リンクデータを特定し、該リンクデータを使用して前記遠隔データサーバー上の前記補足的データファイルにアクセスし、該補足的データファイルを回収することができる更新コントローラ；
を有する、ところの装置。
【請求項２】
請求項１記載の装置であって、前記更新コントローラは、前記第一テレビ番組が記録されている最中に前記補足的データファイルへのアクセス及び回収を行うことができる、ところの装置。
【請求項３】
請求項１記載の装置であって、前記更新コントローラは、前記ディスク蓄積装置に前記第一テレビ番組が記録された後に、間欠的に前記補足的データファイルへのアクセス及び回収を行うことができる、ところの装置。
【請求項４】
請求項１記載の装置であって、前記更新コントローラは、さらに、前記ビデオ再生装置に取り付けられたディスプレイ画面上に前記補足的データファイルを表示することができる、ところの装置。
【請求項５】
請求項４記載の装置であって、前記リンクデータは、ＵＲＬリンクを有する、ところの装置。
【請求項６】
請求項４記載の装置であって、前記更新コントローラは、ブラウザーアプリケーションを実行することができるプロセッサを有し、また、前記更新コントローラは、前記ビデオ再生装置がユーザーから受信したコマンドに応じて前記外部ネットワークをブラウズする、ところの装置。
【請求項７】
請求項１記載の装置であって、前記リンクデータは、前記第一テレビ番組に対応するＥＰＧデータを有する、ところの装置。
【請求項８】
ディスク蓄積装置；
第一テレビ番組と該第一テレビ番組に対応するリンクデータとを前記ディスク蓄積装置に記録することができる記録コントローラ；及び
前記ディスク蓄積装置に蓄積された前記第一テレビ番組に関連する補足的データファイルを外部ネットワーク上の遠隔データサーバーから回収する装置；
から構成されるビデオ再生装置であって、
前記装置は、前記第一テレビ番組に対応する前記リンクデータを特定し、該リンクデータを使用して前記遠隔データサーバー上の前記補足的データファイルにアクセスし、該補足的データファイルを回収することができる更新コントローラを有する、ところのビデオ再生装置。
【請求項９】
請求項８記載のビデオ再生装置であって、前記更新コントローラは、前記第一テレビ番組が記録されている最中に前記補足的データファイルへのアクセス及び回収を行うことができる、ところのビデオ再生装置。
【請求項１０】
請求項８記載のビデオ再生装置であって、前記更新コントローラは、前記ディスク蓄積装置に前記第一テレビ番組が記録された後に、間欠的に前記補足的データファイルへのアクセス及び回収を行うことができる、ところのビデオ再生装置。
【請求項１１】
請求項８記載のビデオ再生装置であって、前記更新コントローラは、さらに、当該ビデオ再生装置に取り付けられたディスプレイ画面上に前記補足的データファイルを表示することができる、ところのビデオ再生装置。
【請求項１２】
請求項１１記載のビデオ再生装置であって、前記リンクデータは、ＵＲＬリンクを有する、ところのビデオ再生装置。
【請求項１３】
請求項１０記載のビデオ再生装置であって、前記更新コントローラは、ブラウザーアプリケーションを実行することができるプロセッサを有し、また、前記更新コントローラは、当該ビデオ再生装置がユーザーから受信したコマンドに応じて前記外部ネットワークをブラウズする、ところのビデオ再生装置。
【請求項１４】
請求項８記載のビデオ再生装置であって、前記リンクデータは、前記第一テレビ番組に対応するＥＰＧデータを有する、ところのビデオ再生装置。
【請求項１５】
ディスク蓄積装置を有するビデオ再生装置に使用され、かつ、前記ディスク蓄積装置に蓄積された第一テレビ番組に関連する補足的データファイルを外部ネットワーク上の遠隔データサーバーから回収するための方法であって：
前記第一テレビ番組と該第一テレビ番組に対応するリンクデータとを前記ディスク蓄積装置に記録する段階；
前記第一テレビ番組に対応する前記リンクデータを特定する段階；
前記リンクデータを使用して前記遠隔データサーバー上の前記補足的データファイルにアクセスする段階；
前記補足的データファイルを回収する段階；及び
前記補足的データファイルを前記ディスク蓄積装置に蓄積する段階；
から構成される、ところの方法。
【請求項１６】
請求項１５記載の方法であって、前記アクセスする段階及び前記回収する段階は、前記記録する段階が実行されている最中に実行される、ところの方法。
【請求項１７】
請求項１５記載の方法であって、前記アクセスする段階及び前記回収する段階は、前記記録する段階が実行された後に実行される、ところの方法。
【発明の詳細な説明】
【０００１】
本発明は、一般に、ビデオ再生装置、より詳しくは、既に放送されたテレビ番組を蓄積し、その蓄積されたテレビ番組に関連した視聴者意見及びウェブサイト情報に対してオンラインでアクセスできるビデオ再生装置に関するものである。
【０００２】
〔従来技術〕
今日の市場において、多種多様なビデオ再生装置が普及しており、ビデオカセットレコーダー（ＶＣＲ）は、多くの人々に所有され又は知られている。より最近では、磁気カセットテープではなくコンピュータの磁気ハードディスクを使用するビデオレコーダーが市場に登場している。例えば、ReplayTV（商標）レコーダーやTiVO（商標）レコーダーは、MPEG-2又はMPEG-4圧縮方式などを採用してテレビ番組をデジタルに録画・記録（recording）を行っている。更に、いくつかのビデオ再生装置は、磁気ディスクではなく読み書き可能なDVD（Digital  Versatile  Disk）をもって記録を行っている。
【０００３】
ビデオ再生装置の大きな利点は、ユーザーのテレビ鑑賞の習慣の調整を可能ならしめることである。そのユーザーは、番組が実際に記録された数時間、数日、又は数週間も後に、その番組を見ることができる。また、ビデオ再生装置によって、ユーザーは、レンタルビデオを見ることができる。
【０００４】
しかしながら、ビデオ再生装置の機能にも、ある程度の限界があり、とりわけ、パソコン等と比較するとこれが顕著である。よって、ビデオ再生装置の機能の拡張を図ることが望ましいことである。特に、視聴者にとってより楽しい、より興味深い視聴体験を提供し得るインタラクティブなオンライン機能をビデオ再生装置に与えることが望ましいことである。
【０００５】
〔発明の概要〕
上記従来技術の欠点を解消すべく、本発明の目的は、ディスク蓄積装置を有するビデオ再生装置に使用され、かつ、前記ディスク蓄積装置に蓄積された第一テレビ番組に関連する補足的データファイルを外部ネットワーク上の遠隔データサーバーから回収するための装置を提供することにある。本発明の好ましい実施例によるところ、前記装置は、１）前記第一テレビ番組と該第一テレビ番組に対応するリンクデータとを前記ディスク蓄積装置に記録することができる記録コントローラ、及び２）前記第一テレビ番組に対応する前記リンクデータを特定し、該リンクデータを使用して前記遠隔データサーバー上の前記補足的データファイルにアクセスし、該補足的データファイルを回収することができる更新コントローラを有している。
【０００６】
本発明の一実施例において、前記更新コントローラは、前記第一テレビ番組が記録されている最中に前記補足的データファイルへのアクセス及び回収を行うことができる。
【０００７】
本発明の他の実施例において、前記更新コントローラは、前記ディスク蓄積装置に前記第一テレビ番組が記録された後に、間欠的に前記補足的データファイルへのアクセス及び回収を行うことができる。
【０００８】
本発明の他の実施例において、前記更新コントローラは、さらに、前記ビデオ再生装置に取り付けられたディスプレイ画面上に前記補足的データファイルを表示することができる。
【０００９】
本発明の他の実施例において、前記リンクデータは、ＵＲＬリンクを有する。
【００１０】
本発明の他の実施例において、前記補足的データファイルは、前記ＵＲＬリンクによって特定されたウェブページデータを有する。
【００１１】
本発明の他の実施例において、前記更新コントローラは、ブラウザーアプリケーションを実行することができるプロセッサを有し、また、前記更新コントローラは、前記ビデオ再生装置がユーザーから受信したコマンドに応じて前記外部ネットワークをブラウズする。
【００１２】
本発明の他の実施例において、前記ブラウザーアプリケーションは、前記ディスク蓄積装置に蓄積されている。
【００１３】
本発明の他の実施例において、前記リンクデータは、前記第一テレビ番組に対応するＥＰＧデータを有する。
【００１４】
上記の説明は、当業者が以下の詳細な説明をより理解し得るように、本発明の特徴及び技術的に有利な効果について概略したものである。以下において、本発明の対象を構成する本発明の他の特徴や有利な効果について説明する。当業者は、本発明の目的を実現するために行われる改良や設計変更の基礎として、本発明の着想及び実施例を直ちに用いることが可能であることを認識すべきである。また、当業者は、均等なものも本発明の本質及び技術的範囲から逸脱しないことをも認識すべきである。
【００１５】
本発明の詳細な説明に入る前に、この説明に含まれる表現について定義づけることとすると：「有する」という表現、「構成する」という表現、及びこれら表現の派生語は、「含む」という意であり、限定を意図したものではない；「又は」という表現は、「又は／及び」という意味をも含み；「対応する」という表現、「それに対応する」という表現、及びこれら表現の派生語は、「含む」、「包含する」、「連結する」、「収容する」、「結合する」、「連通する」、「協調する」、「挟み込む」、「並設する」、「近接する」、「界接する」、「持つ」、及びこれらと同様の特性を有する表現をも含み；及び「コントローラ」という表現は、少なくとも一つの動作を制御する装置、システム、又はこれらの部分を意味し、これらには、ハードウェア、ファームウェア、ソフトウェア、又はこれらのうち同類のものを組み合わせたものが含まれる。尚、コントローラに対応する機能を集中又は分散させることも可能であり、局部的に又は遠隔的に配置することが可能である。尚、本発明の説明の中において、用語や表現の定義はされているが、当業者は、これら用語や表現の定義を限定的なものとして解釈してはならない。
【００１６】
〔発明の詳細な説明〕
以下、図１から図５までを参照しながら、様々な実施例をもって、本発明の特徴について説明するが、この説明は例示的なものにすぎず、本発明の技術的範囲を限定するものとして解してはならない。また、本発明の属する技術分野の通常の知識は、この説明から、本発明の特徴をあらゆる形態のビデオ再生装置に適用することができることを理解することができる。
【００１７】
図１は、本発明の一実施例に係るビデオ再生装置１５０及びテレビ受像機１０５を示すものである。ビデオ再生装置１５０は、ケーブルテレビサービスプロバイダー（ケーブル会社）、衛星ディッシュや一般的なＲＦアンテナを介して、テレビ信号を受信し、視聴者に選択されたチャンネル情報をテレビ受像機に送信する。本発明のより好ましい実施例では、ビデオ再生装置１５０は、ケーブル接続ユニットを介して、ＩＰ(Internet  Protocol)パケットの送受信を行うこともできる。他の実施例では、ビデオ再生装置１５０は、ＰＳＴＮ（Public  Switched  Telephone  Network）接続ユニットを介して、ＩＰ(Internet  Protocol)パケットの送受信を行うこともできる。録画モードにある場合、ビデオ再生装置１５０は、ＲＦ(Radio  Frequency)テレビ信号を受けると、ベースバンドビデオ信号を生成し、そのベースバンドビデオ信号は、ビデオ再生装置に接続され若しくはその内部に設けられた蓄積媒体に記録されて蓄積される。再生モードにある場合、ビデオ再生装置１５０は、ユーザーによって蓄積されたベースバンドビデオ信号（即ち、番組情報）を読み取って、テレビ受像機１０５に送る。
【００１８】
本発明の実施例によるところ、ビデオ再生装置１５０は、ReplayTV（商標）レコーダーやTiVO（商標）レコーダーなどのディスクドライブ形式の装置である。ビデオ再生装置１５０は、磁気カセットテープではなく、磁気ハードディスクを用いて、入来するテレビ信号の蓄積及び回収を行うのである。他の実施例では、ビデオ再生装置１５０は、一般的な読み書き可能なDVD（Digital  Versatile  Disk）又は読み書き可能なCD(Compact  Disk)  を用いて、信号の蓄積及び回収を行うこともできる。この蓄積媒体は、ビデオ再生装置１５０に取り付けられたもの（即ち、ハードディスクドライブ）又は取り外し可能なもの（即ち、DVD、CD等）であっても良い。
【００１９】
ビデオ再生装置１５０は、ユーザーによって操作されるリモコン操作装置からのコマンド（例えば、チャンネルの上げ・下げ、音量の上げ・下げ、録画、再生、早送り、巻き戻し等）を受け取る赤外線(IR,  Infrared)センサー１６０を有している。テレビ受像機１０５は、一般的なテレビ受像機であり、画面１１０、赤外線(IR,  Infrared)  センサー１１５、及び一つ以上の手動スィッチ１２０（点線で示されている）を有している。赤外線センサー１１５は、視聴者によって操作されるリモコンスイッチからのコマンド（ボリュームの上げ・下げ、電源のオン／オフ等）を受け取る。
【００２０】
尚、ビデオ再生装置１５０は、特定のソースからの特定のテレビ信号を受信するものに限定はされない。上述のように、外部ソースは、ケーブルテレビ接続ユニット、従来のRF放送アンテナ、或いは衛星ディッシュであってもよい。送られてくるテレビ信号は、デジタル信号、アナログ信号、或いはIP(Internet  Protocol)パケットであってもよい。但し、本発明の特徴を簡単、かつ、明確に説明をするために、ケーブル放送サービスプロバイダーからテレビ信号及びIP情報を受信するビデオ再生装置１５０に係る実施例について以下説明する。
【００２１】
図２は、本発明の一実施例に係るビデオ再生装置１５０をより詳細に表したものである。ビデオ再生装置１５０は、赤外線センサー１６０、ビデオプロセッサ２１０、MPEG2エンコーダ２２０、ハードディスクドライブ２３０、MPEG2デコーダ／NTSCエンコーダ２４０、及びVR(ビデオレコーダー,  Video  Recorder)コントローラ２５０を有している。ビデオ再生装置１５０は、更に、ビデオバッファ２６０、更新コントローラ２７０、ケーブルモデム２８０、及びPSTNモデム２９０を有している。VRコントローラ２５０は、ビデオ再生装置１５０の全体的な動作を制御し、これには、ビューモード、録画モード、再生モード、早送りモード、巻き戻しモード、ブラウザモード、更新モード等が含まれる。
【００２２】
ビューモードでは、ハードディスクドライブ２３０からの蓄積又は回収処理を行うことなく、VRコントローラ２５０は、ケーブルサービスプロバイダからの入来テレビ信号をビデオプロセッサ２１０で復調し、処理し、そして、テレビ受像機１０５へと送信する。TriMedia（商標）１１００メディアプロセッサなどのビデオプロセッサ２１０は、ケーブルサービスプロバイダから入来するテレビ信号の受信、ユーザーによって選択されたチャンネルの同調、及び、選択されたRF信号のテレビ受像機で表示可能なベースバンドテレビ信号（例えば、スーパービデオやSビデオ信号）への変換を行うRFフロントエンド回路を含んでいる。ビデオプロセッサ２１０は、再生モード中、一般的なNTSC信号をMPEG２デコーダ／NTSCエンコーダ２４０から受信し、テレビ受像機１０５にベースバンド信号（例えば、Sビデオ信号）を送信することもできる。
【００２３】
録画モードにおいて、VRコントローラ２５０は、入来のテレビ信号をハードディスクドライブ２３０に蓄積する。VRコントローラ２５０の制御の下、MPEG2エンコーダ２２０は、ケーブルサービスプロバイダから入来するテレビ信号を受信し、ハードディスクドライブ２３０に蓄積すべく、その受信したRF信号をMPEG形式に変換する。再生モードにおいて、VRコントローラ２５０は、ハードディスクドライブ２３０に対して、蓄積されたテレビ信号（即ち、テレビ番組）をMPEG２デコーダ／NTSCエンコーダ２４０に流すように指示し、MPEG２デコーダ／NTSCエンコーダ２４０は、ハードディスクドライブ２３０からのMPEGデータを、例えば、Sビデオ信号に変換し、このSビデオ信号は、ビデオプロセッサ２１０によってテレビ受像機２０５に送信される前に、ビデオバッファ２６０でバッファーされる。
【００２４】
尚、MPEG２エンコーダ２２０及びMPEG２デコーダ／NTSCエンコーダ２４０用のMPEG2標準の選択は、例示的なものにすぎない。本発明の他の実施例では、上記エンコーダ及びデコーダは、MPEG-1標準、MPEG-2標準、MPEG-4標準、又はMPEG-7標準のうちの一つ以上の標準又はその他のビデオ圧縮スタンダードに従ったものでもよい。
【００２５】
本願の説明及び請求の範囲との関係上、ハードディスクドライブ２３０は、読み書き可能な大量データ蓄積装置を含むものとして定義され、これには、例えば、VCRテープ、書き換え可能なCD、読み書き可能なDVDのための従来の磁気ディスクドライブ及び光学ディスクドライブが含まれる。また、ハードディスクドライブ２３０は、従来のようにビデオ再生装置１５０に永久的に埋め込まれた態様で固定される必要はないのである。ハードディスクドライブ２３０には、ビデオ再生装置だけのために記録された番組を蓄積するあらゆる大量データ蓄積装置が含まれる。更に、ハードディスクドライブ２３０には、外付けの周辺ドライブ又は取り外し可能なディスクドライブ（埋め込まれたものか取り付けられたものかは不問）が含まれ、例えば、読み書き可能なDVDや書き換え可能なCDを保持するジュークボックス型の装置などがこれに該当する。更に、より好ましい実施例において、ハードディスクドライブ２３０には、ネットワーク接続（例えば、IP(Internet  Protocol)接続）を介したビデオ再生装置１５０によるアクセス及び制御が可能な外部大量データ蓄積装置が含まれ、例えば、ユーザーの家庭のパソコン(PC)のディスクドライブやユーザーのインターネットサービスプロバイダ（ISP）のサーバーのディスクドライブがこれに該当する。
【００２６】
本発明の特徴によるところ、更新コントローラ２７０は、ケーブルモデム２８０又はＰＳＴＮモデム２９０を介して、インターネット等の外部通信ネットワーク上でのウェブサイトや他のデータサーバーにアクセスし、ブラウズすることができる。録画モードにおいてテレビ番組が記録されると、従来からの映像・音声トラックデータと共に、テレビ信号に埋め込まれたＵＲＬ（Universal  Resource  Locator）リンク情報及び他のリングデータは、ハードディスクドライブ２３０に蓄積される。テレビ番組が記録されている最中又は記録された後において、更新コントローラ（２７０）は、間欠的に（又はユーザーがコマンドする都度）、埋め込まれたＵＲＬリンク情報によって特定されたウェブサイトやデータサーバーにアクセスし、記録対象たる番組に関する情報をダウンロードすることができる。そのダウンロード情報には、そのテレビ番組の第一回放送後における番組に関する視聴者の電子メールでのコメント、ウェブページや掲示板などが含まれる。このように、その第一回放送後からしばらく経って、ユーザーがようやくその記録されたテレビ番組を見た際に、そのテレビ番組に関連する批評やウェブサイトをブラウズすることができる。
【００２７】
図３は、本発明の一実施例によるところのテレビ番組３００を示すものである。テレビ番組３００は、時間Ｔ0から開始し、時間Ｔ1に終了する。図３において、テレビ番組３００は、番組セグメント３０１〜３０３によって構成され、それぞれ任意に番組セグメント１、番組セグメント２及び番組セグメント３と記される。番組セグメント３０１〜３０３には、テレビ番組３００に対応する映像・音声トラックが含まれている。テレビ番組３００に先行して提供されるのがＥＰＧ（Electronic  Program  Guide）ファイル３０５であり、該ＥＰＧファイル３０５には、テレビ番組３００や他の番組に関連する補足的な情報が含まれている。ＥＰＧファイル３５０には、チャンネル表、番組の開始・終了時刻、番組概要などが含められる。ＥＰＧファイル３０５は、テレビ番組３００とは異なるチャンネルで放送されることも可能である。多くのケーブル放送システムは、ＥＰＧ情報を放送する専門のチャンネルとして知られているチャンネルを利用している。ＥＰＧファイル３０５は、テレビ番組３００の直前に提供される必要はなく、テレビ番組３００が放送される数分又は数時間前に放送されてもよい。
【００２８】
更に、テレビ番組３００は、番組３００に関連する補足的データファイルを蓄積するデータサーバーを特定する複数のリンクにも対応付けられている。本実施例では、８つのＵＲＬリンクがテレビ番組３００に対応付けられている。ここで用いられるＵＲＬリンクは、例示的なもののである。関連データのネットワークアドレスを特定する他の種類のリンクを用いることも可能である。ＵＲＬリンクたるＵＲＬ１、ＵＲＬ２、ＵＲＬ３及びＵＲＬ４は、番組セグメント３０１に対応している。ＵＲＬ５は、番組セグメント３０２に対応している。ＵＲＬ６、ＵＲＬ７、及びＵＲＬ８は、番組セグメント３０３に対応している。テレビ番組３００が、例えば、ニュース番組である場合、テレビ番組３００の開始部分の近くに提供されるＵＲＬ１、ＵＲＬ２、及びＵＲＬ３は、そのニュース番組に対応するウェブページ又はそのニュース番組を製作するネットワークのリンクであってもよい。ＵＲＬ４は、そのニュース番組で報道される第一ニュースの内容の一つに関連するリンク（例えば、金融市場のリンク）であってもよい。同様に、スポーツ報道がしばしばニュース番組の終わり部分に登場することから、ＵＲＬ８は、そのニュース番組が放送される都市の地元のスポーツチームのウェブサイトのリンクを含むものであってもよい。
【００２９】
これらＵＲＬ１〜ＵＲＬ８は、更新コントローラ２７０のブラウザー機能によってアクセスされることが可能である。ＵＲＬ１〜ＵＲＬ８のようなリンク情報をテレビ番組に埋め込む広く知られた技術は、いくつか存在する。これらの中で最も重要な技術の一つとして挙げられるのが、MPEG-7標準である。MPEG-7標準の下では、対応するシーンの特徴を特定する記述子表をMPEGビデオデータストリームの異なる部分に挿入することが可能となる。これら特徴には、そのシーンに現れる俳優や物の名前、監督の名前、テレビ番組の名前をその他のものと共に含めることができる。本発明の動作を説明するために、ＵＲＬリンクなどのリンクデータは、以下において、MPEG-7方式の記述子表又はそれと均等なものによってテレビ番組に埋め込まれるものとする。
【００３０】
図４は、本発明の一実施例によるところのハードディスクドライブ２３０のコンテンツを示すものである。ハードディスクドライブ２３０は、記録されたテレビ番組４０１〜４０４を蓄積し、それぞれ任意に番組１、番組２、番組３及び番組４と記されている。本発明の好ましい実施例では、ハードディスクドライブ２３０は、さらに、ブラウズモードにある場合における更新コントローラ２７０によって実行されるブラウザーアプリケーション４１０をも蓄積している。テレビ番組３００が記録されると、それは、記録済み番組４０１に蓄積される。記録済み番組４０１は、サブファイルのグループを有し、それには、ＥＰＧデータファイル４１５、映像・音声トラックファイル４２０、ＵＲＬリンクファイル４２５、回収された視聴者コメントファイル４３０、及びユーザー入力ファイルが含まれる。記録済み番組４０２〜４０４は、記録済み番組４０１と同様であり、より詳細に説明する必要はないものである。
【００３１】
ＥＰＧファイル３０５で受信したテレビ番組３００に関連する選択されたＥＰＧ情報は、ＥＰＧデータファイル４１５に蓄積される。テレビ番組３００の映像・音声トラックデータは、映像・音声トラックファイル４２０に蓄積される。埋め込まれたリンクたるＵＲＬ１〜ＵＲＬ８は、ＵＲＬリンクファイル４２５に蓄積される。視聴者コメント及びＵＲＬ１〜ＵＲＬ８に対応するウェブサイト又はデータサーバーから回収した他のデータは、回収済み視聴者コメントファイルに蓄積される。最後に、ユーザーがキーボード及びマウスを使用して、テレビ番組に関する批評を入力する場合、その視聴者のコメントは、対応するウェブサイトに送信されるとともにその視聴者のコメントのコピーは、ユーザー入力ファイル４３５に蓄積される。
【００３２】
図５は、本発明の一実施例によるところのビデオ再生装置の処理工程を示したフローチャート５００である。録画モードにおいて、ビデオ再生装置１５０は、テレビ番組３００とともにそれに埋め込まれたリンクやＥＰＧデータをハードディスクドライブ２３０に蓄積する（ステップ５０５）。ビデオ再生装置１５０は、ハードディスクドライブ２３０上に記録済み番組４０１を生成し、そのハードディスクドライブ２３０にテレビ番組３００の映像・音声トラック、関連ＥＰＧデータ及び埋め込まれたＵＲＬリンクを蓄積する（ステップ５１０）。テレビ番組３００を記録している最中又はその記録後に、更新コントローラ２７０は、間欠的に、埋め込まれたＵＲＬリンクによって特定されたデータサーバーにアクセスし、視聴者にフィードバックされたコメントがある場合には、それをダウンロードする（ステップ５１５）。再生モードにおいて、それらＵＲＬリンク（又は、それらＵＲＬリンク用の小さなアイコン）を画面１１０（例えば、その下の部分）に表示すること、或いは、ユーザーによる単純なコマンドによってアクセスすることが可能である（ステップ５２０）。ユーザーがＵＲＬリンクを選択した場合には、更新コントローラ２７０は、ダウンロードされた視聴者のフィードバックやその他の関連ウェブページデータを回収する（ステップ５２５）。その後、テレビ番組３００の再生が停止されている状態でウェブページデータが画面１１０上に表示される。その後、ユーザーは更新コントローラ２７０をもってインターネットをブラウズすること又はそれを解除してテレビ番組３００の視聴に戻ることができる。
【００３３】
以上のように、本発明について詳細に説明がされているが、当業者は、本発明の本質及び技術的範囲を逸脱することなく、本発明について様々な変更、置換、改変を行うことができることを理解すべきである。
【図面の簡単な説明】
【００３４】
【図１】本発明の一実施例によるところのビデオ再生装置及びテレビ受像機を示した図である。
【図２】本発明の一実施例によるところのビデオ再生装置を詳しく示した図である。
【図３】本発明の一実施例によるところのテレビ番組を示した図である。
【図４】本発明の一実施例によるところのハードディスクドライブを示した図である。
【図５】本発明の一実施例によるところのビデオ再生装置の処理工程を示したフローチャートである。
【図１】
2004529579.tif 000003
【図２】
2004529579.tif 000004
【図３】
2004529579.tif 000005
【図４】
2004529579.tif 000006
【図５】
2004529579.tif 000007
【国際公開パンフレット】
2004529579.tif 000008
2004529579.tif 000009
2004529579.tif 000010
2004529579.tif 000011
2004529579.tif 000012
2004529579.tif 000013
2004529579.tif 000014
2004529579.tif 000015
2004529579.tif 000016
2004529579.tif 000017
2004529579.tif 000018
2004529579.tif 000019
2004529579.tif 000020
2004529579.tif 000021
2004529579.tif 000022
2004529579.tif 000023
2004529579.tif 000024
2004529579.tif 000025
【国際調査報告】
2004529579.tif 000026
2004529579.tif 000027